(57)【要約】【課題】  買物客がチラシ等置いて閲覧できるボードと拡大鏡とを両方兼ね備えたものであって、拡大鏡を使用しない時には、その拡大鏡を収納できる利便性の高いショッピングカート用多機能ボードを提供する。【解決手段】  本体部１０と、ショッピングカートのハンドルHに取り付けるための取付部４０とを備えたショッピングカート用多機能ボード１００であって、本体部１０は、本体部１０から取り外し可能な天板２０を備え、本体部１０は、当該本体部１０の内部に拡大鏡３０を収納できるように構成され、拡大鏡３０は、本体部１０の内部から引き出し可能であることを特徴とする。【選択図】図１
0003188147.tif 000002
【実用新案登録請求の範囲】
【請求項１】
本体部と、ショッピングカートのハンドルに取り付けるための取付部とを備えたショッピングカート用多機能ボードであって、
前記本体部は、当該本体部から取り外し可能な天板を備え、
前記本体部は、当該本体部の内部に拡大鏡を収納できるように構成され、
前記拡大鏡は、前記本体部の内部から引き出し可能であることを特徴とするショッピングカート用多機能ボード。
【請求項２】
前記拡大鏡を前記本体部の内部へ向けて付勢する付勢手段を備えたことを特徴とする請求項１に記載のショッピングカート用多機能ボード。
【請求項３】
前記天板にはクリップが設けられていることを特徴とする請求項１又は２に記載のショッピングカート用多機能ボード。
【考案の詳細な説明】
【技術分野】
【０００１】
本考案は、スーパーマーケット等で利用されるショッピングカートのハンドル等に取り付けるものであって、買物客がチラシ等を置いて閲覧できる天板や、商品の包装等に付された情報を拡大して視認するための拡大鏡を備えたショッピングカート用多機能ボードに関する。
【背景技術】
【０００２】
従来から、ショッピングカートのハンドル部分等に取り付けて使用するボードが知られていた。このボードは、例えば、買物客がチラシ等を、そのボードの天板に置いて閲覧したりするのに利用されていた。
【０００３】
また、商品の包装等には商品に関する情報が小さな文字で記載されていることが多く、視力の弱い買物客にとって、その小さな文字を視認するのは大変であった。
【０００４】
そこで、特許文献１に示すようなショッピングカート用拡大鏡が提案されている。このショッピングカート用拡大鏡は、ショッピングカートのハンドルに取り付けて使用されるものである。このように、ショッピングカートのハンドルに取り付けられているので、拡大鏡を失くしたりすることはない。
【先行技術文献】
【特許文献】
【０００５】
【特許文献１】実用新案登録第３１５６１１３号公報
【考案の概要】
【考案が解決しようとする課題】
【０００６】
しかしながら、買物客がチラシ等置いて閲覧できるボードと、拡大鏡とを両方兼ね備えた、利便性の高いものは従来にはなかった。そのため、両方の機能を兼ね備えたショッピングカート用多機能ボードの開発が望まれていた。
【０００７】
そこで、本考案は、上記問題に鑑み、買物客がチラシ等置いて閲覧できるボードと拡大鏡とを両方兼ね備えたものであって、拡大鏡を使用しない時には、その拡大鏡を収納できる利便性の高いショッピングカート用多機能ボードを提供するものである。
【課題を解決するための手段】
【０００８】
上記課題を解決するために、本考案のショッピングカート用多機能ボードは、本体部と、ショッピングカートのハンドルに取り付けるための取付部とを備えており、前記本体部は、当該本体部から取り外し可能な天板を備え、前記本体部は、当該本体部の内部に拡大鏡を収納できるように構成され、前記拡大鏡は、前記本体部の内部から引き出し可能であることを特徴とする。
【０００９】
上記特徴によれば、本体部が、その内部に拡大鏡を収納できるように構成され、拡大鏡が本体部の内部から引き出し可能になっているので、買物客が拡大鏡を使用する場合には、拡大鏡を本体部から引き出して使用し、又、拡大鏡を使用しない場合には、拡大鏡を本体部に収納しておくことができる。
【００１０】
このように、拡大鏡を本体部内に収納し、外部環境に露出させないことで、例えば、ショッピングカートが屋外に放置された場合であっても、拡大鏡により太陽光が集光されて発火する虞が無く、安全である。また、拡大鏡を本体部に収納できるので、拡大鏡を失えることもない。
【００１１】
さらに、天板は本体部から取り外し可能になっている。そのため、買物客の利用目的に応じた天板を、任意に取り付けることができる。例えば、買物客がチラシ等を閲覧したい場合は、表面が平坦な板状の天板を本体部に取り付け、その天板の上にチラシを広げて閲覧できる。また、買物客がタブレット型の携帯電話を閲覧したい場合は、当該携帯電話を保持する保持部材を備えた天板を取り付ければよい。このように、天板を本体部から取り外し可能にすることで、利用目的に応じた天板を任意に取り付けて使用でき、非常に利便性がよい。
【００１２】
また、この天板には、上記チラシ等を閲覧する以外にも、例えば、店内レイアウト、クーポン券、新商品の案内等を置いてもよく、その他PRスペースとして利用できる。なお、本考案のショッピングカート用多機能ボードを取り付けるショッピングカートには、例えば、台車のようなものなど、種類を問わず、買物客や店員等に利用される移動式の構造物も含まれる。
【００１３】
さらに、本考案のショッピングカート用多機能ボードは、拡大鏡を本体部の内部へ向けて付勢する付勢手段を備えたことを特徴としている。
【００１４】
上記特徴によれば、買物客が拡大鏡を引き出して使用した後、拡大鏡から手を離せば、拡大鏡が付勢手段により自動的に本体部の内部へと移動し、収納されるので、買物客にとって非常に使い勝手がよい。また、使用した拡大鏡を本体部の内部に収納し忘れることも防止できる。特に、ショッピングカートが屋外に放置された場合に、拡大鏡が本体部から引き出されたままでは発火の危険性があるが、拡大鏡は付勢手段により自動的に本体部の内部へ収納されるので、極めて安全性が高い。
【００１５】
さらに、本考案のショッピングカート用多機能ボードは、その天板にクリップが設けられていることを特徴としている。
【００１６】
上記特徴によれば、例えば、チラシ等の物品を天板の上に置いて広げる場合に、クリップによって一時的にその物品を固定できるので、利便性が高い。
【考案の効果】
【００１７】
上述したように、本考案によれば、買物客がチラシ等置いて閲覧できるボードと拡大鏡とを両方兼ね備えたものであって、拡大鏡を使用しない時には、その拡大鏡を収納できる利便性の高いショッピングカート用多機能ボードを提供できる。
【図面の簡単な説明】
【００１８】
【図１】（a）は本考案のショッピングカート用多機能ボードをショッピングカートのハンドルに取り付けて使用している状態を示す全体斜視図、（ｂ）は本考案のショッピングカート用多機能ボードから、拡大鏡を引き出して使用している状態を示す全体斜視図である。
【図２】（a）は図１に示すショッピングカート用多機能ボードの平面図、（ｂ）は正面図、（ｃ）は側面図、（ｄ）は背面図である。
【図３】（a）は図１に示すショッピングカート用多機能ボードの本体部から天板を取り外した状態の平面図、（ｂ）は拡大鏡を引き出した状態の平面図である。
【図４】（a）は本考案のショッピングカート用多機能ボードの他例を示すショッピングカート用多機能ボードの平面図、（ｂ）は正面図、（ｃ）は側面図、（ｄ）はショッピングカートのハンドルに取り付けて使用した状態の側面図である。
【符号の説明】
【００１９】
１０  本体部
２０  天板
３０  拡大鏡
４０  取付部
５０  付勢手段（バネ）
C      荷台
S      買物客
【考案を実施するための形態】
【００２０】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００２１】
図１（a）は、本考案のショッピングカート用多機能ボード１００を、ショッピングカートのハンドルHに取り付けて使用している状態を示す全体斜視図である。図１（a）に示すように、ショッピングカート用多機能ボード１００は、主に、拡大鏡３０を収納した本体部１０と、ハンドルHに取り付けるための取付部４０と、本体部１０と取付部４０とを連結する支柱１６から構成されている。
【００２２】
この本体部１０は、その上方側に天板２０を固定している。この天板２０は、本体部１０にネジ止め固定されているので、ネジを緩めれば天板２０を本体部１０から取り外すことができる。また、天板２０は、平坦な板状形状をしており、その前側にはクリップKを備えている。そのため、クリップKにチラシPを挟んで、天板２０の上面にチラシPを広げて閲覧することができる。
【００２３】
なお、この天板２０は、平面視略正方形をしている。しかしながら、この形状に限られず、例えば、図２（a）及び（ｂ）に示す大型の天板２０´のように平面視略長方形の形状でもよく、店舗の規模や目的に応じて任意の形状に変更してもよい。
【００２４】
また、本体部１０は、その内部に拡大鏡３０を収納できるように、中空状に形成されている。詳しくは後述するが、本体部１０は、その上側及び下側を天板２０及び底壁１１、前側を前壁１２、左右側を左壁１３及び右壁１４で囲まれており、前壁１２の反対側（後側）には壁部が設けられておらず、開口１５となっている。そして、本体部１０の内部に収納された拡大鏡３０は、図１（ｂ）に示すように、開口１５から引き出すことができる。
【００２５】
なお、図面上奥側、つまり、ショッピングカートの荷台C側を前側と定義し、図面上手前側、つまり、ショッピングカートのハンドルHを押す買物客S側を後側と定義する。
【００２６】
また、詳しくは後述するが、取付部４０は分離可能な２つの部分からなり、これらの部分がハンドルHの上下から挟み込むように固定される。これにより、ショッピングカート用多機能ボード１００はハンドルHに取り付けられる。さらに、ハンドルHに取付部４０を取り付ける際に、その取付角度は任意に設定することができる。
【００２７】
そして、図１（ｂ）に示すように、ショッピングカート用多機能ボード１００は、本体部１０の開口１５が買物客S側に面すると共に、荷台C側の前壁１２が上方へ、買物客S側の開口１５が下方へ向くように傾斜させて、ハンドルHに取り付けられている。
【００２８】
このように、本体部１０の開口１５が買物客S側に面しつつ、下方へ向いているので、買物客Sは開口１５から拡大鏡３０を、自身に向けて下方へと引き出すことができる。このように、自身に向けて下方へ引っ張るという動作は、買物客Sにとって負担が少なく、最適な動作であり、使い勝手がよいのである。また、買物客Sは、拡大鏡３０を引き出した状態で、拡大レンズ３１の下方へ商品等を持っていけば、その拡大レンズ３１を通して、商品の包装等に印刷された情報を拡大して視認することができる。
【００２９】
また、拡大鏡３０を引き出しても、天板２０の位置や姿勢は変わらないので、買物客Sは天板２０の上に載置されたチラシPを何ら問題なく閲覧することができる。
【００３０】
さらに、図１（ｂ）に示すように、天板２０と、引き出された拡大鏡３０は直線状に配置されている。そのため、引き出した拡大レンズ３１により、拡大して視認している商品の情報と、天板２０に載置されたチラシPとの情報を比較検討することも容易である。
【００３１】
また、ショッピングカート用多機能ボード１００は、荷台C側の前壁１２が上方へ、買物客S側の開口１５が下方へ向くように傾けて取り付けられている。これは、開口１５から本体部１０の内部に埃等が進入し難くするためである。特に、ショッピングカートが屋外に放置された場合には、雨天に晒され、開口１５から本体部１０の内部に雨水が浸入しやすい。そして、本体部１０の内部に金属製の部品等が使用されていると、錆びてしまう虞がある。しかしながら、開口１５が下方へ向き、ショッピングカート用多機能ボード１００自体が斜めに取り付けられているので、雨水が開口１５から内部に進入することが、効果的に防止できる。
【００３２】
次は、図２を参照して、ショッピングカート用多機能ボード１００の構造について詳しく説明する。図２（a）はショッピングカート用多機能ボード１００の平面図、（ｂ）は正面図、（ｃ）は側面図、（ｄ）は背面図である。
【００３３】
図２（a）に示すように、ショッピングカート用多機能ボード１００の本体部１０は、平面視略正方形をしており、その上側に取り外し可能に固定された天板２０も平面視略正方形をしている。また、天板２０の表面は平坦な形状をしており、なお且つ、その前端側にはクリップKが設けられている。そのため、クリップKにチラシP等を挟み、そのチラシPを天板２０上で広げて、閲覧することが容易である。
【００３４】
次に、図２（ｂ）に示すように、ショッピングカート用多機能ボード１００は、上側から本体部１０、その本体部１０の底壁１１に連結された支柱１６、及び、その支柱１６の下端に取付部４０を備えた構造をしている。この底壁１１は、支柱１６の上端と回転可能に連結されているので、買物客は支柱１６を中心として水平方向に本体部１０を自由に回転させることができる。
【００３５】
次に、図２（ｃ）に示すように、取付部４０は、上側取付部４１と下側取付部４２の２つの部品から構成されている。この上側取付部４１と下側取付部４２の間には把持穴４３が形成されており、この把持穴４３の両側の連結部４４により、上側取付部４１と下側取付部４２は互いに分離可能に連結されている。
【００３６】
そして、ショッピングカートのハンドルHを、上下から上側取付部４１と下側取付部４２とにより挟み込むようにし、その状態で、上側取付部４１と下側取付部４２とを互いに連結部４４においてネジ止め固定する。これにより、ハンドルHにショッピングカート用多機能ボード１００が固定されることになる。
【００３７】
また、把持穴４３は、側面視で、その断面形状が略円形をしている。そのため、ハンドルHを上側取付部４１と下側取付部４２で挟み込んだ状態で（ネジ止め固定する前の状態）で、ハンドルHの軸方向を中心にショッピングカート用多機能ボード１００を前後に回転させることができる。したがって、例えば、図１（a）に示すように、ショッピングカート用多機能ボード１００は、荷台C側の前壁１２が上方へ、買物客S側の開口１５が下方へ向くように、ショッピングカート用多機能ボード１００を傾斜させた状態で取り付けることができるのである。
【００３８】
また、上側取付部４１と下側取付部４２は、互いの間隔を任意に調節して連結固定することができる。つまり、把持穴４３の開口径を任意に調節することができる。そのため、図１（a）に示すハンドルHだけでなく、ハンドルHより直径が大きいグリップGにも、ショッピングカート用多機能ボード１００を取り付けることができる。
【００３９】
次に、図２（ｄ）に示すように、前壁１２側には、この前壁１２の反対側の開口１５のような、開口部分は設けられていない。そのため、図１（a）に示すように、前壁１２側が上方に向くように、ショッピングカート用多機能ボード１００を傾斜させてハンドルHに取り付けられても、前壁１２側から雨水等が本体部１０の内部に進入する虞がない。
【００４０】
次に、図３（a）及び（ｂ）に、ショッピングカート用多機能ボード１００の本体部１０から天板２０を取り外して、本体部１０の内部構造を示した平面図を示す。
【００４１】
本体部１０は、図３（a）に示すように、前壁１２、左壁１３、及び右壁１４が底壁１１上に立設され、その内側に拡大鏡３０を収納できるように、各部材が構成されている。具体的には、前壁１２、左壁１３及び右壁１４から成る壁部は平面視略コ字状をしており、各壁部の寸法は、そのコ字状内部に拡大鏡３０が確実に収納でき、なお且つ、開口１５から拡大鏡３０の端部がはみ出ない様に決定されている。
【００４２】
また、この拡大鏡３０の枠体３３は中空状になっており、その内部にバネ５０が備えられている。そして、このバネ５０の端部５１が底壁１１に固定され、端部５２が拡大鏡３０に固定されているので、図３（ｂ）に示すように、拡大鏡３０を引き出した際に、バネ５０が伸びることになる。すると、引き伸ばされたバネ５０には、元の状態へ縮むように復元力が働く。つまり、この復元力により、引き出された拡大鏡３０には、本体部１０の内部へ引き戻されるような付勢力が働くことになる。
【００４３】
また、図３（ｂ）のように、拡大鏡３０が本体部１０から引き出されると、拡大鏡３０の拡大レンズ３１が本体部１０から外部へ露出することになる。そして、買物客が、この拡大レンズ３１の裏側に、商品等を移動させれば、拡大レンズ３１を介して、商品の包装等に印刷された情報を拡大して視認することができる。
【００４４】
また、拡大鏡３０の開口１５側の端部には、その裏面側に、窪んだ形状の取手３２が設けられている。買物客は、この取手３２に指を引っ掛けて、拡大鏡３０を引き出すことができるので、使い勝手がよい。さらに、拡大鏡３０を使用した後、買物客はこの取手３２から指を外せば、拡大鏡３０はバネ５０の付勢力により、自動的に本体部１０の内部に引き戻される。
【００４５】
このように、買物客が拡大鏡３０を使用しない場合には、拡大鏡３０を本体部１０の内部に収納できるので、拡大鏡３０を失う虞がない。また、ショッピングカートが屋外に放置されても、拡大鏡３０は本体部１０の内部に収納できるので、拡大鏡３０により太陽光が集光されて発火する虞もない。特に、拡大鏡３０はバネ５０の付勢力により、自動的に本体部１０の内部に引き戻されるので、買物客の拡大鏡３０の収納し忘れを確実に防止できる。
【００４６】
なお、拡大鏡３０は、その左右が左壁１３及び右壁１４に接触し、その上下が底壁１１及び天板２０の裏面に接触している。そのため、拡大鏡３０が上下左右にブレることなく、姿勢を安定させたまま、引き出し及び引き戻しがなされる。
【００４７】
ここで、本実施例では、拡大鏡３０を本体部１０の内部へ向けて付勢する付勢手段として、バネ５０を採用しているが、これに限定されず、例えば弾性ゴム等の伸縮部材を用いてもよい。
【００４８】
次に、図４を参照して、本発明の変形例であるショッピングカート用多機能ボード２００を、一実施形態のショッピングカート用多機能ボード１００と対比しつつ説明するが、一実施形態と共通する構成については説明を省略する。
【００４９】
一実施形態のショッピングカート用多機能ボード１００の天板２０は、チラシP等を広げて閲覧しやすいように、表面が平坦な板状形状をしていたが、これに限定されない。図４（a）に示すように、ショッピングカート用多機能ボード２００では、ショッピングカート用多機能ボード１００の天板２０の代わりに、タブレット型の携帯電話等を保持可能なポケット形状の天板２２０を本体部２１０に取り付けている。
【００５０】
具体的には、図４（a）から（ｃ）に示すように、本体部２１０に取り外し可能にネジ止め固定された天板２２０は、平面視略正方形の板状の底板２２１と、その底板２２１の上方のポケット状の保持部材２２２からなる。
【００５１】
買物客は、前端側の開口２２３から携帯電話を挿入し、保持部材２２２に携帯電話を保持させる。したがって、買物客は、買物をしながら、携帯電話を閲覧できるようになる。
【００５２】
図４（ｄ）には、実際に、ショッピングカート用多機能ボード２００をショッピングカートのハンドルHに取り付けた状態の側面図を示している。図４（ｄ）に示すように、保持部材２２２が下方へ位置し、開口２２３が上方へ向くように、ショッピングカート用多機能ボード２００はハンドルHに傾斜して取り付けられている。そのため、タブレット型の携帯電話Tは、保持部材２２２から落下することがない。
【００５３】
なお、天板２２０の形状は、保持したい携帯電話の大きさや形状に合わせて、適宜変更すればよい。また、携帯電話以外にも保持したい対象物に応じて、天板の形状を適宜変更し、本体部に取り付けて使用できる。
【００５４】
なお、本考案のショッピングカート用多機能ボードは、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003188147.tif 000003
【図２】
0003188147.tif 000004
【図３】
0003188147.tif 000005
【図４】
0003188147.tif 000006